(57)【特許請求の範囲】
【請求項１】
導光板と、
前記導光板の一側に配置される光源部と、
前記光源部の上部を覆う中間収納容器と、
前記中間収納容器に結合して前記導光板及び前記光源部を収納する下部収納容器と、
を含み、
前記下部収納容器は、
前記光源部が固定され、前記中間収納容器の内面に接する光源部固定フレームと、
前記導光板の下部に配置され前記光源部固定フレームに結合する筐体部と、
を含み、
前記光源部固定フレームは、
上面に前記筐体部が配置されるプレートと、
前記プレートに対して実質的に垂直に形成され前記光源部が実装された第１支持壁と、
前記中間収納容器の内面に接続され前記第１支持壁からエアーギャップ（ａｉｒ ｇａｐ）分だけ離隔され前記第１支持壁と一体的に形成された第２支持壁とを含み、
前記エアーギャップは前記光源部からの熱を除去する空気循環通路を形成することを特徴とするバックライトアセンブリ。
【請求項２】
前記プレートの上面は、前記筐体部の下面に接することを特徴とする請求項１に記載のバックライトアセンブリ。
【請求項３】
前記第２支持壁は、前記中間収納容器の側壁の内面に対向することを特徴とする請求項１に記載のバックライトアセンブリ。
【請求項４】
映像を表示する液晶パネルと、
前記液晶パネルの下部に配置される導光板と、
前記導光板の一側に配置される光源部と、
前記光源部の上部を覆う中間収納容器と、
前記中間収納容器に結合して前記導光板及び前記光源部を収納する下部収納容器と、
を含み、
前記下部収納容器は、
前記光源部が固定され、前記中間収納容器の内面に接する光源部固定フレームと、
前記導光板の下部に配置され前記光源部固定フレームに結合する筐体部とを含み、
前記光源部固定フレームは、
上面に前記筐体部が配置されるプレートと、
前記プレートに対して実質的に垂直に形成され前記光源部が実装された第１支持壁と、
前記中間収納容器の内面に接続され前記第１支持壁からエアーギャップ（ａｉｒ ｇａｐ）分だけ離隔され前記第１支持壁と一体的に形成された第２支持壁とを含み、
前記エアーギャップは前記光源部からの熱を除去する空気循環通路を形成することを特徴とする液晶表示装置。
【請求項５】
前記プレートの上面は、前記筐体部の下面に接することを特徴とする請求項４に記載の液晶表示装置。
【請求項６】
前記第２支持壁は、前記中間収納容器の側壁の内面に対向することを特徴とする請求項５に記載の液晶表示装置。
【請求項７】
前記プレートは、前記第１支持壁から延長され、第１幅を有する複数の第１部分と、第２幅を有する複数の第２部分と、を含み、
前記複数の第１部分は前記光源部固定フレームの前記光源の近くに位置し、前記複数の第２部分は前記複数の第１部分の間に位置することを特徴とする請求項５に記載の液晶表示装置。
【請求項８】
前記筐体部は、前記光源部固定フレームの一部と重複して前記光源部固定フレームとの重複領域を形成し、
前記導光板は、前記光源部固定フレームの前記重複領域の上に位置し、
前記光源部は、前記筐体部と重複しないことを特徴とする請求項４に記載の液晶表示装置。
【発明の詳細な説明】
【技術分野】
【０００１】
本発明は、バックライトアセンブリ及びこれを含む液晶表示装置に関するものであって、より詳細には放熱効果が向上したバックライトアセンブリ及びこれを含む液晶表示装置に関する。
【背景技術】
【０００２】
液晶表示装置（Ｌｉｑｕｉｄ  Ｃｒｙｓｔａｌ  Ｄｉｓｐｌａｙ：ＬＣＤ）は、現在最も広く使われているフラットパネル表示装置（Ｆｌａｔ  Ｐａｎｅｌ  Ｄｉｓｐｌａｙ：ＦＰＤ）の一つであり、液晶表示装置は電極が形成された２枚の基板とその間に挿入される液晶層とからなり、電極に電圧を印加して液晶層の液晶分子を再配列させることによって透過する光の量を調節する表示装置である。
【０００３】
受動発光装置である液晶表示装置は、画面を表示する液晶パネル、及び液晶パネルに光を供給するバックライトアセンブリを含む。バックライトアセンブリは光源の位置により直下型（ｄｉｒｅｃｔ  ｔｙｐｅ）とエッジ型（ｅｄｇｅ  ｔｙｐｅ）とに区分される。
【０００４】
最近、液晶表示装置の軽量薄型化及び演色性向上に対する要求が高まっている。これに伴いバックライトアセンブリに使用される光源として、例えばＬＥＤ（Ｌｉｇｈｔ  Ｅｍｉｔｔｅｄ  Ｄｉｏｄｅ）のような点光源を使用する研究が進んでいる。
【０００５】
液晶表示装置の光源としてＬＥＤのような点光源を使用する場合、点光源から発生する熱を効率的に除去することが要求される。
【発明の概要】
【発明が解決しようとする課題】
【０００６】
本発明が解決しようとする課題は、放熱効果が向上したバックライトアセンブリを提供することである。
【０００７】
また、本発明が解決しようとする課題は、放熱効果が向上したバックライトアセンブリを含む液晶表示装置を提供することでもある。
【０００８】
本発明の技術的課題は、以上で言及した技術的課題に制限されず、言及されていない他の技術的課題は、以下の記載から当業者に明確に理解される。
【課題を解決するための手段】
【０００９】
前記技術的課題を解決するための本発明の一実施形態におけるバックライトアセンブリは、導光板と、導光板の一側に配置される光源部と、光源部の上部を覆う中間収納容器と、中間収納容器に結合して導光板及び光源部を収納する下部収納容器と、を含み、下部収納容器は、光源部が固定され、中間収納容器の内面に接する光源部固定フレームと、導光板の下部に配置され光源部固定フレームに結合する筐体部と、を含む。
【００１０】
前記他の技術的課題を解決するための本発明の一実施形態における液晶表示装置は、映像を表示する液晶パネルと、液晶パネルの下部に配置される導光板と、導光板の一側に配置される光源部と、光源部の上部を覆う中間収納容器と、中間収納容器に結合して導光板及び光源部を収納する下部収納容器と、を含み、下部収納容器は、光源部が固定され、中間収納容器の内面に接する光源部固定フレームと、導光板の下部に配置され光源部固定フレームに結合する筐体部と、を含む。
本発明のその他の具体的な内容は、発明の詳細な説明及び図面に記載されている。
【発明の効果】
【００１１】
本発明に係る液晶表示装置によれば、点光源から発生した熱が輻射によりプレートに伝達され、プレートに伝達された熱は他の構成要素を経ずに下部収納容器の外側に直接放出されることによって放熱効率を増加させることができる。また点光源から発生した熱が整列板を経て第１支持壁に伝導された後、又は第２支持壁が形成された場合には点光源から発生した熱が第２支持壁まで伝導された後、下部収納容器の外側に直接放出されることによって放熱効率を増加させることができる。
【図面の簡単な説明】
【００１２】
【図１】本発明の第１実施形態における液晶表示装置の分解斜視図である。
【図２】図１に示す液晶表示装置をＡ−Ａ´線に沿って切断した断面図である。
【図３】本発明の第１実施形態における光源部固定フレームの斜視図である。
【図４】本発明の第１実施形態における光源部固定フレームの凹部斜視図である。
【図５】本発明の第１実施形態における光源部固定フレームと光源部との配置関係を示す斜視図である。
【図６】本発明の第１実施形態における下部収納容器の筐体部の斜視図である。
【図７】本発明の第１実施形態における下部収納容器の筐体部と光源部固定フレームとの配置関係を示す斜視図である。
【図８】本発明の第２実施形態における液晶表示装置の分解斜視図である。
【図９】本発明の第２実施形態における光源部固定フレームの斜視図である。
【図１０】本発明の第２実施形態における光源部固定フレームの凹部斜視図である。
【図１１】本発明の第２実施形態における下部収納容器の筐体部の斜視図である。
【図１２】本発明の第２実施形態における下部収納容器の筐体部と光源部固定フレームとの配置関係を示す斜視図である。
【図１３】本発明の第３実施形態における液晶表示装置の分解斜視図である。
【図１４】本発明の他の一実施形態における液晶表示装置に使用される光源部固定フレームを説明するための図である。
【図１５】本発明の他の一実施形態における液晶表示装置に使用される光源部固定フレームを説明するための図である。
【図１６】本発明の他の一実施形態における液晶表示装置に使用される光源部固定フレームを説明するための図である。
【図１７Ａ】本発明の他の一実施形態における液晶表示装置に使用される光源部固定フレームを説明するための図である。
【図１７Ｂ】本発明の他の一実施形態における液晶表示装置に使用される光源部固定フレームを説明するための図である。
【図１８】本発明の他の一実施形態における液晶表示装置に使用される光源部固定フレームを説明するための図である。
【図１９】本発明の他の一実施形態における液晶表示装置に使用される下部収納容器を説明するための図である。
【図２０】本発明の他の一実施形態における液晶表示装置に使用される下部収納容器を説明するための図である。
【発明を実施するための最良の形態】
【００１３】
本発明の利点、特徴、及びこれらを達成する方法は、添付の図面と共に詳細に後述される実施形態を参照することによって明確になる。しかし、本発明は、以下に開示される実施形態に限定されるものではなく、異なる多様な形態で実施されてもよい。本実施形態は、単に本発明の開示が完全になるように、本発明の属する技術分野における通常の知識を有する者に対して発明の範囲を完全に知らせるために提供されるものであり、本発明は、請求項の範囲によってのみ定義される。したがって、いくつかの実施形態において、公知の工程、公知の素子構造、及び公知の技術は、本発明の解釈が曖昧になることを避けるため、具体的に説明しない。明細書全体において、同一の参照符号は、同一の構成要素を示す。
【００１４】
空間的に相対的な用語である「下（ｂｅｌｏｗ）」、「下（ｂｅｎｅａｔｈ）」、「下部（ｌｏｗｅｒ）」、「上（ａｂｏｖｅ）」、「上部（ｕｐｐｅｒ）」などの用語は、図面に示されているように、１つの素子又は構成要素と異なる素子又は構成要素との相関関係を容易に記述するために使用されてもよい。空間的に相対的な用語は図面に示されている方向に加えて、使用時又は動作時の素子の異なる方向を含む用語として理解されなければならない。例えば、実際の素子などの構成要素は、上下がひっくり返る場合、他の素子の「下（ｂｅｌｏｗ）」又は「下（ｂｅｎｅａｔｈ）」と記述された素子が、他の素子の「上（ａｂｏｖｅ）」に位置するように配置されてもよい。したがって、例示的な用語である「下」は、下と上との両方向を含むものでもよい。素子が他の方向に向けられた場合も、空間的に相対的な用語は配向された方向に応じて解釈されてもよい。
【００１５】
本明細書で使用される用語は、本発明の実施形態を説明するための用語であり、本発明を制限するものではない。本明細書において、単数形の用語は特に言及しない限り複数形の用語も含む。明細書で使用される「含む（ｃｏｍｐｒｉｓｅｓ）」及び／又は「含まれている（ｃｏｍｐｒｉｓｉｎｇ）」という用語は、言及された構成要素、段階、動作及び／又は素子に１つ以上の他の構成要素、段階、動作及び／又は素子が存在し又は追加されることを排除しない。
【００１６】
特に定義されていない場合は、本明細書で使用されるすべての用語（技術及び科学的用語を含む）は、本発明の属する技術分野における通常の知識を有する者に共通に理解される意味において使用される。また、一般的に使用される辞典に定義されている用語は、明白に特に定義されていない限り、理想的に又は過度に解釈されない。
【００１７】
以下、図１から図７を参照して、本発明の第１実施形態におけるバックライトアセンブリ及び液晶表示装置について詳細に説明する。
【００１８】
図１は、本発明の第１実施形態における液晶表示装置の分解斜視図である。図２は、図１に示す液晶表示装置をＡ−Ａ´線に沿って切断した断面図である。
【００１９】
図１及び図２を参照すると、本発明の第１実施形態における液晶表示装置は大きく分けると液晶パネルアセンブリ１０及びバックライトアセンブリ２０を含む。
【００２０】
液晶パネルアセンブリ１０は、第１基板１１１、第２基板１１２、及びこれらの基板の表面に配置された偏光板（１１３、１１４）を含む液晶パネル１１０と、液晶（図示せず）と、駆動ＩＣ１１６と、テープキャリアパッケージ１１７と、印刷回路基板１１８と、上部収納容器１８０とを含む。
【００２１】
液晶パネル１１０は、ゲートライン（図示せず）、データライン（図示せず）、及び画素電極などを含む第１基板１１１と、ブラックマトリックス（ｂｌａｃｋ  ｍａｔｒｉｘ）、カラーフィルター、及び共通電極などを含み、第１基板１１１に対向するように配置された第２基板１１２と、第１基板１１１の下部に配置された偏光板１１３と、第２基板１１２の上部に配置された偏光板１１４とを含む。カラーフィルターや共通電極は、液晶パネル１１０の種類によって第１基板１１１の上に配置されてもよい。一方、印刷回路基板１１８には駆動信号を処理するための様々な駆動部品が実装されてもよい。
【００２２】
上部収納容器１８０は、液晶パネルアセンブリの構成要素の離脱を防止すると共に、外部から加えられる衝撃によって壊れやすい液晶パネル１１０又はバックライトアセンブリ２０を保護するためのものであって、直角に折り曲げられた平面部と側壁部とを有するフレーム形状で形成されてもよい。上部収納容器１８０は、液晶パネル１１０及びバックライトアセンブリ２０の全体を覆うように形成されてもよく、バックライトアセンブリ２０の一部のみを覆うように形成されてもよい。上部収納容器１８０の上面には液晶パネル１１０を外部に露出させるウインドウが形成されている。
【００２３】
前述した平板形状の基板を積層して形成される液晶パネル１１０は、後述する中間収納容器１５０の上に配置される。
【００２４】
バックライトアセンブリ２０は、全体として、光源部１３０と、導光板１４０と、光学シート１２０と、反射シート１６０と、中間収納容器１５０と、光源部固定フレーム２２０及び筐体部２１０を含む下部収納容器２００とを含む。
【００２５】
光源部１３０は、点光源１３２及び点光源１３２が実装された整列板１３１を含んでもよい。本発明の第１実施形態では、光源部１３０が下部収納容器２００の互いに対向する２つの側壁の内面に配置される。例えば、液晶表示装置が長方形の形状である場合、対向する両側の長辺に光源部１３０が配置されてもよい。しかし、本発明はこれに限定されず、光源部１３０が下部収納容器２００のいずれか一辺又は４辺すべてに配置されることを排除するものではない。
【００２６】
導光板１４０は、その側面が光源部１３０と対向するように下部収納容器２００に収納される。導光板１４０の対向する両側面に光源部１３０が配置された場合、光源部１３０と対向する導光板１４０の両側面を通じて導光板１４０内部に光が供給される。導光板１４０は、点光源１３２から発生した光が液晶パネル１１０の方向へ向かうようにする。
【００２７】
導光板１４０は、くさび形のプレート又は平板形プレートで形成されてもよい。導光板１４０は、透光性材料、例えば、ＰＭＭＡ（ＰｏｌｙＭｅｔｈｙｌＭｅｔｈＡｃｒｙｌａｔｅ）のようなアクリル樹脂、ポリカーボネート（ＰＣ：ＰｏｌｙＣａｒｂｏｎａｔｅ）のような材料で形成されてもよい。
【００２８】
導光板１４０の少なくとも何れか一つの面にはパターンが形成されてもよい。例えば導光板１４０の下面には、ガイドされた光が上部に出射されるように散乱パターン（図示せず）が形成されてもよい。
【００２９】
一つ以上の光学シート１２０は導光板１４０の上面に配置され、導光板１４０から伝達される光を拡散して集光する役割を果たす。光学シート１２０は、拡散シート、プリズムシート、及び保護シートなどを含んでもよい。拡散シートは、光学シート１２０のうち導光板１４０の最も近くに配置されてもよく、導光板１４０から入射する光を分散させて光が部分的に密集することを防止することができる。プリズムシートは、一面に三角柱の形状のプリズムが一定の配列を有して形成されてもよく、拡散シートの上に配置され拡散シートから拡散された光を液晶パネル１１０に対して垂直方向に集光する役割を果たす。保護シートは、プリズムシートの上に形成されてもよく、プリズムシートの表面を保護し、光を拡散させて光の分布を均一にすることができる。
【００３０】
反射シート１６０は、導光板１４０と下部収納容器２００との間に配置され、導光板１４０の下部に放出される光を上部に反射させる。
【００３１】
反射シート１６０は、例えば、ポリエチレンテレフタレート（ＰＥＴ：ＰｏｌｙＥｔｈｙｌｅｎｅ  Ｔｅｒｅｐｈｔｈａｌａｔｅ）からなり、反射性を有してもよく、その片方の表面は、例えば二酸化チタンを含有する拡散層でコーティングしてもよい。一方、反射シート１６０は、例えばＡｇのような金属からなるものでもよい。
【００３２】
中間収納容器１５０は、下部収納容器２００の側壁、例えば下部収納容器２００の側壁の外面に沿ってフレーム形状で形成されてもよい。本発明の第１実施形態では中間収納容器１５０は下部収納容器２００の側壁の外面に配置される。中間収納容器１５０は、例えば側壁に形成された締結部材によって下部収納容器２００と締結されてもよい。中間収納容器１５０は、下部収納容器２００に結合して反射シート１６０、導光板１４０、光源部１３０、及び光学シート１２０を収納してもよい。
【００３３】
中間収納容器１５０は、中間収納容器１５０によって固定される部品が破損することを防止するため、例えば、プラスチック材質のモールドフレームであってもよい。
【００３４】
下部収納容器２００は、筐体部２１０及び光源部固定フレーム２２０を含む。筐体部２１０及び光源部固定フレーム２２０を結合して上面が開放され内部に一定の深さの収納空間を有する直六面体のボックス形状を形成してもよい。これについて詳細に後述する。
【００３５】
以下、図３から図５を参照して、光源部固定フレーム２２０と光源部１３０との配置関係について詳細に説明する。図３は、本発明の第１実施形態における光源部固定フレームの斜視図である。図４は、本発明の第１実施形態における光源部固定フレームの凹部斜視図である。図５は、本発明の第１実施形態における光源部固定フレームと光源部との配置関係を示す斜視図である。
【００３６】
図３を参照すると、本発明の第１実施形態の光源部固定フレーム２２０は、複数のユニット固定フレーム２２０ａ、２２０ｂを含む分割型光源部固定フレーム２２０である。光源部固定フレーム２２０は、光源部１３０から発生した熱を下部収納容器２００の外側に放出させる役割を果たす。
【００３７】
図４を参照すると、各ユニット固定フレーム２２０ａは、プレート２２１ａ、並びにプレート２２１ａに対して実質的に垂直に形成された第１支持壁２２２ａ及び第２支持壁２２６ａを含む。
【００３８】
プレート２２１ａは、第１支持壁２２２ａに連結された第１プレート２２３ａ及び第１プレート２２３ａに連結された第２プレート２２４ａを含む。第２プレート２２４ａは下部収納容器の筐体部（図１の参照符号２１０）が設置される部分であり、第２プレート２２４ａの厚さは第１プレート２２３ａの厚さより薄い。具体的には、第２プレート２２４ａの上面は第１プレート２２３ａの上面から下部収納容器の筐体部（図１の参照符号２１０）の厚さ分だけ低く配置してもよい。すなわち、図２を参照すると、第２プレート２２４ａの上に下部収納容器の筐体部２０１が配置されたとき、第１プレート２２３ａの上面と下部収納容器の筐体部２１０の底板の上面とは同一の高さであってもよい。この場合、第１プレート２２３ａの上面及び筐体部２１０の底板の上面に配置される反射シート１６０が同じ高さに配置されてもよい。
【００３９】
ユニット固定フレーム２２０ａの第１支持壁２２２ａは、プレート２２１ａに対して実質的に垂直方向に延長される。
【００４０】
図５を参照すると、第１支持壁２２２ａには光源部１３０が配置される。点光源１３２としてはＬＥＤ（ｌｉｇｈｔ  ｅｍｉｔｔｉｎｇ  ｄｉｏｄｅ）などが使用されてもよい。具体的には、複数の点光源１３２は整列板１３１の一面に実装され、整列板１３１の他面は第１支持壁２２２ａに接着（ａｔｔａｃｈｅｄ）して配置される。整列板１３１の他面と第１支持壁２２２ａとを接着して配置する方法は、例えば整列板１３１に整列板締結孔（図１の参照符号１３３）を形成し、例えば、ねじのような締結部材によって第１支持壁２２２ａに結合する方法でもよい。この場合、第１支持壁２２２ａには整列板締結孔（図１の参照符号１３３）に対応する締結孔（図４の参照符号２２５ａ）が形成されている。本発明はこれに限定されず、例えば整列板１３１の他面と第１支持壁２２２ａとは放熱接着テープを利用して接着されてもよい。
【００４１】
整列板１３１は、図５に示すように、例えば長方形プレート形状でもよく、図示していないが、例えば「Ｌ」字形状に折り曲げられた形状でもよい。後者の場合、整列板１３１は、プレート２２１ａの上に配置される第１部分及び第１部分に対して実質的に垂直に折り曲げられて第１支持壁２２２ａに接着する第２部分を含む。
【００４２】
整列板１３１には複数の点光源１３２を連結する回路パターン（図示せず）が形成されてもよい。一方、点光源１３２の放熱効果を最大化するため、整列板１３１も熱伝導性物質で形成されてもよい。
【００４３】
図３から図５を参照すると、光源部固定フレーム２２０のプレート２２１ａは、例えば長方形の形状でもよい。プレート２２１ａの面積が広いほど光源部固定フレーム２２０の放熱効率が向上する。プレート２２１ａの面積は、放熱効率と液晶表示装置の重量とを考慮して調節される。
【００４４】
第１プレート２２３ａの幅は、整列板１３１の厚さ及び点光源１３２の厚さの和と同一であるか、それより大きくてもよい。第１プレート２２３ａの幅が大きいほど放熱効率が向上し、点光源１３２から発生した光が第１プレート２２３ａと第２プレート２２４ａとの間の境界部で視認される確率を減少させることができる。具体的には、第１プレート２２３ａと第２プレート２２４ａとの段差によって点光源１３２から発生した光が第１プレート２２３ａと第２プレート２２４ａとの間の境界部で視認されてもよいが、第１プレート２２３ａの幅を大きくして点光源１３２から発生した光が第１プレート２２３ａと第２プレート２２４ａとの間の境界部まで到達する距離を長くすると、そこまで到達する光の輝度を減少させることができる。したがって、第１プレート２２３ａは点光源１３２から一定の距離まで延長して形成されてもよく、放熱効率及び第１プレート２２３ａと第２プレート２２４ａとの間の境界部に到達する光の輝度を考慮して第１プレート２２３ａの幅を調節してもよい。
【００４５】
光源部固定フレーム２２０は熱伝導性の良い物質を含む。例えば、光源部固定フレーム２２０はアルミニウムを含んでもよい。光源部固定フレーム２２０はプレート２２１ａと第１支持壁２２２ａとが組み立て又は溶接など多様な方法によって形成されてもよく、効率的にはあらかじめ作られた型によってその型と同様の光源部固定フレーム２２０を作り出す圧出成型を使用してもよい。一方、光源部固定フレーム２２０はプレス成型によって製作されてもよい。
【００４６】
光源部固定フレーム２２０のプレート２２１ａの一側の縁には第１支持壁２２２ａに対して平行となるように配置され、中間収納容器（図２の参照符号１５０）の側壁に支持される第２支持壁２２６ａがさらに形成されてもよい。第２支持壁２２６ａは第１支持壁２２２ａと共にバックライトアセンブリ２０の捻れを防止するなどバックライトアセンブリ２０の剛性を向上させる役割を果たす。また、第２支持壁２２６ａと第１支持壁２２２ａとの間の空間又はエアーギャップ（ａｉｒ  ｇａｐ）は空気循環通路を形成して光源部固定フレーム２２０の放熱機能を向上させる役割を果たす。
【００４７】
図２、図６及び図７を参照して、下部収納容器２００の筐体部２１０と光源部固定フレーム２２０との配置関係について説明する。図６は、本発明の第１実施形態における下部収納容器の筐体部の斜視図である。図７は、本発明の第１実施形態における下部収納容器の筐体部と光源部固定フレームとの配置関係を示す斜視図である。
【００４８】
図６を参照すると、下部収納容器の筐体部２１０は、底板２１１と底板２１１の対向する両側面から底板２１１に対して垂直に突出して延長された側壁（２１２、２１３）とを含む。下部収納容器の筐体部２１０は、外部からの衝撃から点光源１３２などを保護し、熱を均一に分散させて冷却効果を与えることができる材料で形成してもよく、例えばアルミニウムを使用して形成してもよい。本発明の第１実施形態における下部収納容器の筐体部２１０はボックス形状よりも単純化された構造を有するため、下部収納容器の筐体部２１０を製作するための金型を単純化して原価を削減することができる。
【００４９】
図７を参照すると、光源部固定フレーム２２０は筐体部２１０の側壁（２１２、２１３）が形成されていない筐体部２１０の底板２１１の側面に配置される。これによって、下部収納容器の筐体部２１０と光源部固定フレーム２２０とを結合して上面が開放された直六面体のボックス形状を形成する。その結果、内部に一定の深さの収納空間を有する下部収納容器（図１の参照符号２００）が形成される。
【００５０】
下部収納容器の筐体部２１０は、光源部固定フレーム２２０の上に配置される。具体的には下部収納容器の筐体部２１０は光源部固定フレーム２２０の第２プレート２２４ａの上面に配置される。
【００５１】
第２プレート２２４ａと筐体部２１０の底板２１１とを結合する方法は、多様な方法で実施されてもよい。例えば、筐体部２１０の底板２１１に下部収納容器締結孔（図６の参照符号２１４）を形成し、第２プレート２２４ａにプレート締結孔（図４の参照符号２２７ａ）を形成し、ねじ締結又はコーキング（ｃａｕｌｋｉｎｇ）などの方法によって結合してもよい。また、図７とは異なり、溶接などの方法によって第２プレート２２４ａと筐体部２１０の底板２１１とを結合してもよい。
【００５２】
光源部固定フレーム２２０のプレート２２１ａは筐体部２１０の底板２１１を囲み、筐体部２１０の底板２１１の下面より外側に配置される。具体的には、筐体部２１０の底板２１１の下面と光源部固定フレーム２２０の第２プレート２２４ａの上面とが接着するように配置されてもよい。
【００５３】
本発明と異なり、光源部が固定された光源部固定フレームを下部収納容器の内面にねじ締結により結合させる構造の場合、光源部固定フレームと下部収納容器との結合の境界面で熱伝導率が低下する現象が発生する。すなわち、複数の境界面を経て放熱されるため、放熱効率が低下する。したがって、放熱効率を向上させるためには光源部から発生した熱が下部収納容器の外に放熱される際に構成要素間の結合境界面を最小化する構造が効率的である。本発明に係る液晶表示装置の熱放出について簡単に説明すると、点光源１３２から発生した熱は輻射によりプレート２２１ａに伝達され、プレート２２１ａに伝達された熱は他の構成要素を経ずに下部収納容器２００の外側に直接放出されることによって放熱効率を増加させることができる。また点光源１３２から発生した熱が整列板１３１を経て第１支持壁２２２ａに伝導された後、又は第２支持壁２２６ｂが形成された場合には点光源１３２から発生した熱が第２支持壁２２６ｂまで伝導された後、下部収納容器２００の外側に直接放出されることによって放熱効率を増加させることができる。
【００５４】
以下、図８から図１２を参照して、本発明の第２実施形態におけるバックライトアセンブリ及び液晶表示装置について説明する。図８は、本発明の第２実施形態における液晶表示装置の分解斜視図である。図９は、本発明の第２実施形態における光源部固定フレームの斜視図である。図１０は、本発明の第２実施形態における光源部固定フレームの凹部斜視図である。図１１は、本発明の第２実施形態における下部収納容器の筐体部の斜視図である。図１２は、本発明の第２実施形態における下部収納容器の筐体部と光源部固定フレームとの配置関係を示す斜視図である。以下、本発明の第１実施形態と同一の機能を有する構成要素については同一の図面参照符号を使用し、説明の便宜上、当該構成要素に対する詳細な説明を省略又は簡略化する。
【００５５】
図８及び図９を参照すると、本発明の第２実施形態における光源部固定フレーム３２０は、複数のユニット固定フレーム（３２０ａ、３２０ｂ、３２０ｃ、３２０ｄ）を含む分割型光源部固定フレーム３２０である。本発明の第２実施形態における複数のユニット固定フレーム（３２０ａ、３２０ｂ、３２０ｃ、３２０ｄ）は、第１ユニット固定フレーム（３２０ａ、３２０ｂ）及び第２ユニット固定フレーム（３２０ｃ、３２０ｄ）を含む。
【００５６】
第１ユニット固定フレーム（３２０ａ、３２０ｂ）は、図３に示された本発明の第１実施形態におけるユニット固定フレーム（２２０ａ、２２０ｂ）と同一である。本発明の第２実施形態における光源部固定フレーム３２０は、本発明の第１実施形態とは異なり第２ユニット固定フレーム（３２０ｃ、３２０ｄ）をさらに含む。
【００５７】
図１０を参照すると、第２ユニット固定フレーム３２０ｃは、プレート３２１ｃ及びプレート３２１ｃに対して実質的に垂直に形成された第１支持壁３２２ｃを含む。プレート３２１ｃは例えば長方形の形状であってもよい。プレート３２１ｃの面積は放熱効率と液晶表示装置の重量とを考慮して調節される。プレート３２１ｃの一側の縁には第１支持壁３２２ｃに対して平行となるように配置され、中間収納容器（図８の参照符号１５０）の側壁に支持される第２支持壁３２６ｃがさらに形成されてもよい。
【００５８】
図１１を参照すると、本発明の第２実施形態における下部収納容器（図８の参照符号３００）の筐体部３１０は平板形状を有する。本発明の第２実施形態における下部収納容器の筐体部３１０はボックス形状より単純化された構造を有するので、下部収納容器の筐体部３１０を製作するための金型を単純化して原価を削減することができる。
【００５９】
図１２を参照すると、光源部固定フレーム３２０は下部収納容器の筐体部３１０の各側面に配置される。これにより、下部収納容器の筐体部３１０と光源部固定フレーム３２０とを結合して上面が開放された直六面体のボックス形状を形成する。その結果、内部に一定の深さの収納空間を有する下部収納容器（図８の参照符号３００）が形成される。
【００６０】
下部収納容器の筐体部３１０及び第２ユニット固定フレーム（３２０ｃ、３２０ｄ）は第１ユニット固定フレーム（３２０ａ、３２０ｂ）の第２プレート（図９の参照符号３２４ａ）の上面に配置される。下部収納容器（図８の参照符号３００）の収納面を平坦にするため、第２ユニット固定フレーム３２０ｃのプレート（図１０の参照符号３２１ｃ）と下部収納容器の筐体部３１０との厚さは同一であってもよい。
【００６１】
第２ユニット固定フレーム（３２０ｃ、３２０ｄ）を第１ユニット固定フレーム（３２０ａ、３２０ｂ）に結合する方法は、例えば、図９及び図１０を参照すると、第２ユニット固定フレーム３２０ｃのプレート３２１ｃにプレート締結孔３２７ｃを形成し、第１ユニット固定フレーム３２０ａの第２プレート３２４ａに形成されたプレート締結孔３２７ａとねじ締結又はコーキング（ｃａｕｌｋｉｎｇ）などの方法によって結合してもよい。また、溶接などの方法によって第２ユニット固定フレーム（３２０ｃ、３２０ｄ）を第１ユニット固定フレーム（３２０ａ、３２０ｂ）に結合してもよい。
【００６２】
本発明の第２実施形態における液晶表示装置では、光源部固定フレーム３２０に伝達された熱は下部収納容器３００の４面から他の構成要素を経ずに、下部収納容器３００の外に直接放出される。これによって放熱効率を増加させることができる。
【００６３】
以下、図１３を参照して本発明の第３実施形態におけるバックライトアセンブリ及び液晶表示装置について詳細に説明する。図１３は、本発明の第３実施形態における液晶表示装置の分解斜視図である。以下、本発明の第１及び第２実施形態と同一の機能をする構成要素については同一の図面参照符号を使用し、説明の便宜上、当該構成要素に対する詳細な説明を省略又は簡略化する。
【００６４】
図１３を参照すると、本発明の第３実施形態における光源部固定フレーム４２０は、一体的に形成されたフレーム形状を有してもよい。具体的には、光源部固定フレーム４２０は４辺（４２０ａ、４２０ｂ、４２０ｃ、４２０ｄ）を有する長方形のフレーム形状であってもよい。光源部固定フレーム４２０の各辺４２０ｂのプレート４２１ｂは、図１３に示すように、第１支持壁４２２ｂに連結した第１プレート４２３ｂと、第１プレート４２３ｂに連結され、第１プレート４２３ｂより薄い厚さを有する第２プレート４２４ｂとを含んでもよい。
【００６５】
平板形状を有する下部収納容器４００の筐体部４１０が各辺４２０ｂの第２プレート４２４ｂの上面に固定配置されることによって、下部収納容器４００が形成される。
【００６６】
本発明の第３実施形態における液晶表示装置でも、光源部固定フレーム４２０に伝達された熱は他の構成要素を経ずに、下部収納容器４００の外に直接放出されるため、放熱効率を増加させることができる。
【００６７】
図１４及び図１５は、本発明の他の一実施形態における液晶表示装置に使用される光源部固定フレームを説明するための図である。説明の便宜のため、本発明の一実施形態における液晶表示装置に使用される光源部固定フレーム（例えば、図３の参照符号２２０）と異なる点を中心に説明する。
【００６８】
図１４及び図１５を参照すると、本発明の第１実施形態における光源部固定フレーム（図３の参照符号２２０）はプレート（図４の参照符号２２１ａ）の幅が一定であるのに対し、本実施形態における光源部固定フレーム（５２０、６２０）はプレート（５２１ａ、６２１ａ）の幅が一定ではない。
【００６９】
プレート（５２１ａ、６２１ａ）の幅は発熱分布によって変更されてもよい。例えば、発熱が相対的に多く発生する部分の幅を広くし、発熱が相対的に少なく発生する部分の幅を狭くしてもよい。発熱が相対的に多く発生する部分においてプレート（５２１ａ、６２１ａ）の幅を広くすると、その部分から発生した熱が拡散される。これによって、発熱が相対的に多く発生する部分の熱的ストレスを減らすことができる。
【００７０】
図１４ではプレート５２１ａの両側端部の幅（第１幅）が他の部分（第２幅）より広い場合を示す。図１５ではプレート６２１ａの両側端部及び中央部の幅（第１幅）が他の部分（第２幅）より広い場合を示す。一方、図示していないが、プレートはそれぞれの点光源（図１の参照符号１３２）に対応する部分の幅（第１幅）が他の部分（第２幅）より広く形成されたノコギリの歯の形状を有してもよい。
【００７１】
図１６、図１７Ａ及び図１７Ｂは、本発明の他の一実施形態における液晶表示装置に使用される光源部固定フレームを説明するための図である。図１７Ａは図１６に示すＢ領域の断面図である。図１７Ｂは、図１６に示すＣ領域の断面図である。説明の便宜のため、本発明の一実施形態における液晶表示装置に使用される光源部固定フレーム（例えば、図３の参照符号２２０）と異なる点を中心に説明する。
【００７２】
図１６及び図１７Ａを参照すると、本発明の第１実施形態における光源部固定フレーム（図３の参照符号２２０）はプレート（図４の参照符号２２０ａ）の下面が平坦であるのに対し、本実施形態における光源部固定フレーム７２０はプレート７２１ａの下面に凹凸部７２８が形成されてもよい。凹凸部７２８が形成された面は平坦面より大きな表面積を有するため、表示装置から発生した熱を周辺にうまく拡散させることができる。
【００７３】
図１７Ａ及び図１７Ｂを参照すると、凹凸部７２８はプレート７２１ａの下面の一部の領域（Ｂ）にのみ形成されてもよい。例えば、発熱が相対的に多く発生する部分（Ｂ）には凹凸部７２８を形成し、発熱が相対的に少なく発生する部分（Ｃ）は凹凸部７２８を形成しなくてもよい。一方、図示していないが、凹凸部７２８はプレート７２１ａの下面の領域全体に形成されてもよい。
【００７４】
図１８は本発明の他の一実施形態における液晶表示装置に使用される光源部固定フレームを説明するための図である。説明の便宜のため、本発明の一実施形態における液晶表示装置に使用される光源部固定フレーム（例えば、図３の参照符号２２０）と異なる点を中心に説明する。
【００７５】
図１８を参照すると、本実施形態における光源部固定フレーム８２０のプレート８２１ａには下部収納容器の筐体部８１０が挿入される溝部８２９が形成されている。したがって、本実施形態では下部収納容器の筐体部８１０をプレート８２１ａの溝部８２９に挿入することによって、下部収納容器の筐体部８１０と光源部固定フレーム８２０とを結合することができる。これによって、光源部固定フレーム８２０と下部収納容器の筐体部８１０とを結合するためのねじのような別の結合部材の使用を最小化又は省略することができる。
【００７６】
図１９は、本発明の他の一実施形態における液晶表示装置に使用される下部収納容器を説明するための図である。説明の便宜のため、本発明の一実施形態における液晶表示装置に使用される下部収納容器（例えば、図１３の参照符号４００）と異なる点を中心に説明する。
【００７７】
図１９を参照すると、本発明の第３実施形態における光源部固定フレーム（図１３の参照符号４２０）はプレート４２１ｂの幅が一定であるのに対し、本実施形態における光源部固定フレーム９２０はプレート９２１ｂの幅が一定ではない。図１４及び図１５に示す実施形態で説明したように、プレート９２１ｂの幅は発熱分布によって変更されてもよい。
【００７８】
また本発明の第３実施形態における下部収納容器の筐体部４１０は四角板の形状を有するのに対し、本実施形態における下部収納容器の筐体部９１０は多角形の形状を有してもよい。
【００７９】
図２０は、本発明の他の一実施形態における液晶表示装置に使用される下部収納容器を説明するための図である。説明の便宜のため、本発明の一実施形態における液晶表示装置に使用される下部収納容器（例えば、図１の参照符号２００）と異なる点を中心に説明する。
【００８０】
図２０を参照すると、本実施形態における下部収納容器１０００は筐体部２１０の側壁（２１２、２１３）の外側に位置し、光源部固定フレーム２２０と結合して、一つの四角形状のフレームを形成する剛度補強バー１０３０をさらに含んでもよい。剛度補強バー１０３０はバックライトアセンブリの捻れを防止することができ、外部の衝撃からバックライトアセンブリを保護する役割を果たす。
【００８１】
以上、添付の図面を参照して、本発明の実施形態について説明したが、本発明の属する技術分野における通常の知識を有する者は、本発明が、その技術的思想や必須の特徴を変更しない範囲において他の具体的な形態で実施されてもよいことを理解することができる。したがって、前記実施形態はすべての面において例示的なものであり、限定するものではないと理解しなければならない。
【図１】
0005599690.tif 000002
【図２】
0005599690.tif 000003
【図３】
0005599690.tif 000004
【図４】
0005599690.tif 000005
【図５】
0005599690.tif 000006
【図６】
0005599690.tif 000007
【図７】
0005599690.tif 000008
【図８】
0005599690.tif 000009
【図９】
0005599690.tif 000010
【図１０】
0005599690.tif 000011
【図１１】
0005599690.tif 000012
【図１２】
0005599690.tif 000013
【図１３】
0005599690.tif 000014
【図１４】
0005599690.tif 000015
【図１５】
0005599690.tif 000016
【図１６】
0005599690.tif 000017
【図１７Ａ】
0005599690.tif 000018
【図１７Ｂ】
0005599690.tif 000019
【図１８】
0005599690.tif 000020
【図１９】
0005599690.tif 000021
【図２０】
0005599690.tif 000022